(57)【特許請求の範囲】
【請求項１】
少なくとも冷蔵室、冷凍室の２室以上の複数の室で構成し、かつ脱臭風路を有すると共に、前記複数の室又は脱臭風路に冷却器にて冷却した冷気を冷気強制循環用送風機にて、前記複数の室又は脱臭風路に、冷気吐出風路を介して送風し、かつ前記冷気吐出風路内に前記複数の室又は脱臭風路に向けてそれぞれ温度調節用電動ダンパを設けると共に、前記冷却器下方に除霜用ヒータを備え、除霜運転時除霜ヒータ通電停止後、冷気強制循環用送風機にて脱臭風路内に強制対流を発生させ、前記冷却器の残霜の除霜を行うことを特徴とする冷凍冷蔵庫の制御装置。
【請求項２】
除霜運転時冷蔵室用の第１温度調節用電動ダンパを閉の状態にて、除霜ヒータＯＦＦ後に冷気強制循環用送風機にて脱臭風路内に強制対流を発生させ、冷却器の残霜の除霜を行うことを特徴とする請求項１記載の冷凍冷蔵庫の制御装置。
【請求項３】
除霜運転時冷凍室用の第２温度調節用電動ダンパを閉の状態にて、除霜ヒータＯＦＦ後に冷気強制循環用送風機にて脱臭風路内に強制対流を発生させ、冷却器の残霜の除霜を行うことを特徴とする請求項１又は請求項２記載の冷凍冷蔵庫の制御装置。
【請求項４】
除霜運転時冷蔵室用の第１温度調節用電動ダンパ、冷凍室用の第２温度調節用電動ダンパ又は脱臭用の第３温度調節用電動ダンパを閉の状態にて、冷気強制循環用送風機にて脱臭風路内に強制対流を発生させ、除霜を行うこと特徴とする請求項１又は請求項２記載の冷凍冷蔵庫の制御装置。
【発明の詳細な説明】
【０００１】
【発明の属する技術分野】
この発明は、冷凍冷蔵庫に係り、特に、各室冷気吐出風路内に設置した各種機器を開閉制御する冷凍冷蔵庫の制御装置に関するものである。
【０００２】
【従来の技術】
近年、少なくとも２つ以上の温度帯の冷却室を有した冷凍冷蔵庫は、各庫内への冷気吐出風路内には冷気の風量を調整する電動ダンパを設けた構成を多く使用するのが一般的である。
【０００３】
図９は従来の冷蔵庫を示す断面図である。図において、1は冷蔵庫本体の断熱箱体で、冷蔵室２と冷凍室３とで構成され、背面には冷却器４を内蔵した冷気吐出風路５を設けている。６は圧縮機、７は冷気強制循環送風機で、前記冷却器４の上方に配置されている。８は前記冷却器４の下方に設けた除霜用ヒータである。９は冷蔵室用の第１温度調節用電動ダンパで、前記冷気吐出風路５の冷蔵室入口に設けてある。１０は冷凍室用の第２温度調節用電動ダンパで、前記冷気吐出風路の冷凍室入口に設けてある。
【０００４】
以上のように構成された冷却器除霜中の冷蔵室用の第１温度調節用電動ダンパ、冷凍室用の第２温度調節用電動ダンパの制御と冷気の流れについて説明する。図１０は、制御タイムチャート図、図１１はこの除霜時の制御状態を示した制御フローチャートである。
【０００５】
図１０の制御タイムチャート図では、時間Ａで、圧縮機６および冷気強制循環送風機７の運転を停止すると同時に、除霜用ヒータ８をＯＮし通電を開始する。このとき冷蔵室２、冷凍室３の温度上昇を抑制するため冷蔵室用の第１温度調節用電動ダンパ９、冷凍室用の第２温度調節用電動ダンパ１０は閉としてあり、除霜用ヒータ８をＯＮし冷却器４の除霜が開始される。そして、時間Ｂで、除霜用ヒータ８をＯＦＦすると同時に圧縮機６および冷気強制循環送風機７の運転を開始し、冷蔵室用の第１温度調節用電動ダンパ９、冷凍室用の第２温度調節用電動ダンパ１０も開とするものである。
【０００６】
次に、図１１の制御フローチャートについて説明する。図において、ステップＳ００において除霜運転を開始すると同時に、ステップＳ０１で圧縮機６を停止、ステップＳ０２で第１温度調節用電動ダンパ９および第２温度調節用電動ダンパ１０を閉、冷気強制循環送風機７も停止して、除霜用ヒータ８の通電を開始し、ステップＳ０３で除霜を完了し、ステップＳ０４で除霜運転を終了するものである。
【０００７】
従って、冷却器除霜中の冷気の流れは、第１温度調節用電動ダンパ９、第２温度調節用電動ダンパ１０を閉じることにより、冷気吐出風路中には冷却器除霜完了まで流れなくなる。
【０００８】
また、他の従来例として、ガス冷媒を圧縮する圧縮機と、圧縮したガス冷媒を液化させる凝縮器と、液化した液冷媒を減圧する減圧装置と、減圧した液冷媒をガス化させる蒸発器とを用いそれぞれを配管パイプで接続して構成される冷凍サイクルを備えるとともに、蒸発器の霜取用ヒータを備えた冷蔵庫において、霜取用ヒータの通電直前に圧縮機を所定時間停止する制御装置を有する技術が、特開平１０−３１４０６９号公報に開示されている。
【０００９】
また、他の従来例として、圧縮機モータの停止中、蒸発器の残余冷気を冷蔵室に供給することにより、冷蔵室に保管された食物の新鮮度が落ちる事を防止することのできる冷蔵庫の運転制御装置及び方法の技術が、特開平１０−８９８２９号公報に開示されている。
【００１０】
【発明が解決しようとする課題】
上記従来の冷凍冷蔵庫の制御装置では、除霜用ヒータが除霜開始から除霜終了まで常時通電され、消費電力が増大する問題があった。
【００１１】
また、上記従来の制御装置では、除霜ヒータの熱量のみで除霜を行う為に、ヒータの通電時間が長なり、庫内の温度上昇が増大する問題があった。
【００１６】
【課題を解決するための手段】
この発明による冷凍冷蔵庫の制御装置は、少なくとも冷蔵室、冷凍室の2室以上の複数の室で構成し、かつ脱臭風路を有すると共に、前記複数の室又は脱臭風路に冷却器にて冷却した冷気を冷気強制循環用送風機にて、前記複数の室又は脱臭風路に、冷気吐出風路を介して送風し、かつ前記冷気吐出風路内に前記複数の室又は脱臭風路に向けてそれぞれ温度調節用電動ダンパを設けると共に、前記冷却器下方に除霜用ヒータを備え、除霜運転時除霜ヒータ通電停止後、冷気強制循環用送風機にて脱臭風路内に強制対流を発生させ、前記冷却器の残霜の除霜を行うものである。
【００１７】
また、この発明による冷凍冷蔵庫の制御装置は、除霜運転時冷蔵室用の第１温度調節用電動ダンパを閉の状態にて、除霜ヒータＯＦＦ後に冷気強制循環用送風機にて脱臭風路内に強制対流を発生させ、冷却器の残霜の除霜を行うものである。
【００１８】
また、この発明による冷凍冷蔵庫の制御装置は、除霜運転時冷凍室用の第２温度調節用電動ダンパを閉の状態にて、除霜ヒータＯＦＦ後に冷気強制循環用送風機にて脱臭風路内に強制対流を発生させ、冷却器の残霜の除霜を行うものである。
【００１９】
また、この発明による冷凍冷蔵庫の制御装置は、除霜運転時冷蔵室用の第１温度調節用電動ダンパ、冷凍室用の第２温度調節用電動ダンパ又は脱臭用の第３温度調節用電動ダンパを閉の状態にて、冷気強制循環用送風機にて脱臭風路内に強制対流を発生させ除霜を行うものである。
【００２０】
【発明の実施の形態】
実施の形態1．
以下、この発明の実施の形態１による冷蔵庫を説明する。図１はこの発明の実施の形態１による冷蔵庫の構造を示す断面図である。図において、1は冷蔵庫本体の断熱箱体で、冷蔵室２と冷凍室３とで構成され、背面には冷却器４を内蔵した冷気吐出風路５を設けている。６は圧縮機、７は冷気強制循環送風機で、前記冷却器４の上方の配置したある。８は前記冷却器４の下方に設けた除霜用ヒータである。９は冷蔵室用の第１温度調節用電動ダンパで、前記冷気吐出風路５の冷蔵室入口に設けてある。１０は冷凍室用の第２温度調節用電動ダンパで、前記冷気吐出風路５の冷凍室入口に設けてある。
【００２１】
図２はこの実施の形態１による冷蔵庫の制御を示す制御タイムチャート、図３はこの実施の形態１による制御を示すフローチャートである。図２において、除霜用ヒータ８の通電開始前に、時間Ａにおいて冷蔵室用の第１温度調節電動ダンパ９を開、冷凍室用の第２温度調節電動ダンパ１０を閉の状態で、冷気強制循環送風機７を作動させ、冷蔵室入口より冷蔵室２の比較的高い温度の冷気を冷気吐出風路５内に呼び戻す。冷蔵室２の比較的高い温度の冷気により冷却器４温度を上昇させて、冷却器温度Ｔ>Ｔ１の時に、時間Ｂにおいて除霜ヒータ８に通電し、冷気強制循環送風機７をＯＦＦし、冷蔵室用の第１温度調節電動ダンパ９を閉にして除霜を開始して時間Ｃで除霜運転を終了する。これにより、除霜ヒータ８に通電する時間を短縮し、冷蔵庫の省エネルギー化を実現することができる。
【００２２】
次に、図３に示すこの実施の形態１による制御を示すフローチャートを説明する。ステップＳ１０において除霜運転を開始する。次にステップＳ１１に進み、圧縮機は停止状態とする。その後、ステップＳ１２において冷蔵室用の第１温度調節電動ダンパ９を開き、冷気強制循環用送風機７をＯＮにし冷蔵室入口より、冷蔵室２の比較的高い温度の冷気を逆に冷気吐出風路５内に呼び戻す。そして、ステップＳ１３に進み、ステップＳ１３では冷却器温度を判定し、冷却器温度がＴ>Ｔ１であれば、ステップＳ１４に進み、冷却器温度がＴ>Ｔ１でなければ、再度冷却器温度がＴ>Ｔ１であるかを判定する。ステップＳ１４では、冷蔵室用第１温度調節電動ダンパ９を閉とすると同時に、除霜用ヒータ８に通電開始して冷却器の除霜運転を開始しする。ステップＳ１５で除霜を完了する。冷却器４の除霜を完了したらステップＳ１６に進み、除霜用ヒータ８の通電を停止して、ステップＳ１７で除霜運転を終了するものである。
【００２３】
この制御により庫内を冷却する効果が得られ、除霜用ヒータ８の通電時を短くし、除霜用ヒータ８の通電時における冷蔵室２の温度上昇を未然に防ぐことができる。
【００２４】
この実施の形態１において冷凍室、冷蔵室の２室から構成される冷蔵庫で説明をしたが、少なくとも冷蔵室、冷凍室の2室以上で構成し、冷却器にて冷却した冷気を冷気強制循環用送風機にて、前記冷蔵室、冷凍室に各々の冷気吐出風路を介して送風し、前記各々の冷気吐出風路には各々の前記冷気吐出風路内に複数の温度調節電動ダンパを配したもので、かつ冷却器の除霜用ヒータを設けた冷蔵庫であれば、その室数の多少、構成はこれに限定するものではない。
【００２５】
また冷蔵室用の第１温度調節電動ダンパ９を開としたが、冷蔵室に限定はしない。除霜時における冷却器温度よりの高い温度帯の部屋の温度調節電動ダンパであれば構わない。
【００２６】
実施の形態2。
図４はこの発明のに実施の形態2に示す冷蔵庫の断面図である。図において、1は冷蔵庫本体の断熱箱体で、冷蔵室２と冷凍室３とで構成され、背面には冷却器４を内蔵した冷気吐出風路５を設けている。６は圧縮機、７は冷気強制循環送風機で、前記冷却器４の上方の配置したある。８は前記冷却器４の下方に設けた除霜用ヒータである。９は冷蔵室用の第１温度調節用電動ダンパで、前記冷気吐出風路５の冷蔵室入口に設けてある。１０は冷凍室用の第２温度調節用電動ダンパで、前記冷気吐出風路５の冷凍室入口に設けてある。１１は脱臭風路、１２はこの脱臭風路出口に設けた脱臭風路用の第３温度調節用電動ダンパである。
【００２７】
図５はこの実施の形態２による冷蔵庫の制御を示す制御タイムチャート図、図６はこの実施の形態2の制御フローチャートである。
【００２８】
図５において、除霜用ヒータ８の通電開始前に、時間Ａにおいて冷蔵室用の第１温度調節電動ダンパ９を閉、冷凍室用の第２温度調節電動ダンパ１０を閉、脱臭風路用の第３温度調節電動ダンパ１２を開の状態で、除霜用ヒータ８を通電し除霜を開始する。時間Ｂで冷却器４の除霜が完了したら除霜用ヒータ８の通電を停止し、除霜用ヒータ８の余熱と冷気強制循環送風機７の作動による上昇した冷却器周辺エアを利用し、脱臭風路への冷気強制対流によって、時間Ｃまで冷却器４に残った霜の除霜を完了させる。時間Ｃになったら、圧縮機をＯＮ、冷蔵室用の第１温度調節電動ダンパ９を開、冷凍室用の第２温度調節電動ダンパ１０を開、脱臭風路用の第３温度調節電動ダンパ１２を閉として通常の冷蔵庫の運転を開始する。
【００２９】
次に、図６に示すこの実施の形態２による制御を示すフローチャートを説明する。ステップＳ２０において除霜運転を開始する。次にステップＳ２１に進み、圧縮機は停止状態とする。その後、ステップＳ２２において冷蔵室用の第１温度調節電動ダンパ９を閉じ、冷凍室用の第２温度調節用電動ダンパ１０を閉じ、脱臭用の第３温度調節用電動ダンパ１２を開とし、冷気強制循環用送風機７をＯＮにし除霜用ヒータ８に通電を開始する。そして、ステップＳ２３に進み、ステップＳ１３では冷却器温度を判定し、冷却器温度がＴ>Ｔ１であれば、ステップＳ２４に進み、冷却器温度がＴ>Ｔ１でなければ、再度冷却器温度がＴ>Ｔ１であるかを判定する。ステップＳ２４では、除霜用ヒータ８の通電を停止し、ステップＳ２５に進む。ステップＳ２５では、脱臭風路１１で冷気強制循環用送風機７をＯＮにし強制対流により冷却器４の残った霜の除霜をする。そして、ステップＳ２６で除霜が完了したらステップＳ２７に進み除霜運転を終了するものである。
【００３０】
この実施の形態２において冷凍室、冷蔵室の２室から構成される冷蔵庫で説明をしたが、少なくとも冷蔵室、冷凍室の2室以上で構成し、冷却器にて冷却した冷気を冷気強制循環用送風機にて、前記冷蔵室、冷凍室に各々冷気吐出風路を介して送風し、前記各々冷気吐出風路には各々の前記冷気吐出風路内に複数の電動ダンパを備えたもので、かつ冷却器の除霜用ヒータを設けた冷蔵庫であれば、その部屋数、構成はこれに限定しない。
【００３１】
この実施の形態２において脱臭風路11への強制対流としたが、強制対流が発生させられる風路、スペースが確保できればこれに限定しない。
【００３２】
実施の形態３．
図７はこの実施の形態３による冷蔵庫の制御を示す制御タイムチャート図、図８はこの実施の形態３の制御フローチャートである。
【００３３】
図７による実施の形態3を示す制御タイムチャート図では、除霜用ヒータ８の通電開始前に、時間Ａにおいて冷蔵室用の第１温度調節電動ダンパ９を開、冷凍室用の第２温度調節電動ダンパ１０を閉、脱臭用の第３温度調節用電動ダンパ１２を開の状態で、冷気強制循環送風機７を作動さる。これにより、冷蔵室入口より冷蔵室２の比較的高い温度の冷気を冷気吐出風路５内に呼び戻す。冷蔵室２の比較的高い温度の冷気により冷却器４温度を上昇させて、冷却器温度Ｔ>Ｔ１の時に、時間Ｂにおいて除霜ヒータ８に通電し、冷気強制循環送風機７はＯＮとし、冷蔵室用の第１温度調節電動ダンパ９を閉にして除霜を開始して時間Ｃで除霜運転を終了する。時間Ｃでは、除霜用ヒータ８をＯＦＦして時間Ｄまで除霜用ヒータ８の余熱と冷気強制循環送風機７の作動による上昇した冷却器周辺エアを利用し、脱臭風路１１への冷気強制対流によって、時間Ｄまで冷却器４に残った霜の除霜を完了させる。時間Ｄになったら、圧縮機をＯＮ、冷蔵室用の第１温度調節電動ダンパ９を開、冷凍室用の第２温度調節電動ダンパ１０を開、脱臭風路用の第３温度調節電動ダンパ１２を閉として通常の冷蔵庫の運転を開始する。これにより、除霜ヒータ5に通電する時間を短縮し、冷蔵庫の省エネルギー化を実現することができる。
【００３４】
次に、図８に示すこの実施の形態３による制御を示すフローチャートを説明する。ステップＳ３０において除霜運転を開始する。次にステップＳ３１に進み、圧縮機は停止状態とする。その後、ステップＳ３２において冷蔵室用の第１温度調節電動ダンパ９を開、冷凍室用の第２温度調節用電動ダンパ１０を閉じ、脱臭用の第３温度調節用電動ダンパ１２を開とし、冷気強制循環用送風機７をＯＮにし冷蔵室入口より、冷蔵室２の比較的高い温度の冷気を逆に冷気吐出風路５内に呼び戻す。そして、ステップＳ３３に進み、ステップＳ３３では冷却器温度を判定し、冷却器温度がＴ>Ｔ１であれば、ステップＳ３４に進み、冷却器温度がＴ>Ｔ１でなければ、再度冷却器温度がＴ>Ｔ１であるかを判定する。ステップＳ３４では、冷蔵室用の第１温度調節用電動ダンパ９を閉とすると同時に除霜用ヒータ８に通電開始して冷却器４の除霜運転を開始する。開始後、ステップＳ３５に進む。ステップＳ３５では冷却器温度を判定し、冷却器温度がＴ>Ｔ２であれば、ステップＳ３６に進み、冷却器温度がＴ>Ｔ２でなければ、再度冷却器温度を判定する。ステップＳ３６では、除霜用ヒータ８の通電を停止し、ステップＳ３７に進み、ヒータの余熱、および上昇した冷却器周辺エアを利用し、冷気強制循環送風機4による脱臭風路１１で強制対流により冷却器４の残った霜の除霜をする。そして、ステップＳ３８で除霜が完了したらステップＳ３９に進み除霜運転を終了するものである。
【００３５】
このことで、冷蔵室の冷却効果が得られるために、除霜時の除霜用ヒータ８の通電時間を短縮し、冷蔵庫の省エネルギー化を実現することができる除霜運転時の冷蔵室２、冷凍室３の温度上昇を抑制することが可能となり、庫内の食品鮮度保持性が向上する。
【００３６】
この実施の形態３において冷凍室、冷蔵室の２室から構成される冷蔵庫で説明をしたが、少なくとも冷蔵室、冷凍室の2室以上で構成し、冷却器にて冷却した冷気を冷気強制循環用送風機にて、前記冷蔵室、冷凍室に各々の冷気吐出風路を介して送風し、前記各々の冷気吐出風路には各々の前記冷気吐出風路内に複数の電動ダンパを備えたもので、かつ冷却器の除霜用ヒータを設けた冷蔵庫であれば、その部屋数、構成はこれに限定しない。
【００３７】
また冷蔵室用の第１温度調節用電動ダンパ９を開としたが、冷蔵室２に限定はしない。除霜時における冷却器温度よりの高い温度帯の部屋の温度調節用電動ダンパであれば構わない。
【００３８】
前記、実施の形態1、実施の形態2および実施の形態3によれば、除霜時の庫内の温度上昇を抑制し、食品保存性の向上した冷蔵庫を提供できる。
【００３９】
また、前記、実施の形態1、実施の形態2および実施の形態3によれば、除霜時の庫内の温度上昇を抑制し、省エネルギー性に優れた冷蔵庫を提供できる。
【００４０】
【発明の効果】
この発明による冷凍冷蔵庫の制御装置は、少なくとも冷蔵室、冷凍室の2室以上の複数の室で構成し、冷却器にて冷却した冷気を冷気強制循環用送風機にて、前記複数の室に冷気吐出風路を介して送風し、前記冷気吐出風路内に前記複数の室に向けてそれぞれ温度調節用電動ダンパを備え、除霜運転時除霜用ヒータ通電前に圧縮機停止の状態で、前記冷蔵室用の第１温度調節用電動ダンパを開き、冷気強制循環用送風機の冷気を強制対流により、比較的高い冷蔵室内の冷気を冷気吐出風路内に呼び戻すようにして、冷却器温度を上昇させる構成としたから、除霜中の冷蔵室内の温度上昇を抑制することができ、食品の保存性の高い冷蔵庫を提供することができる効果を有する。
【００４１】
また、この発明の冷凍冷蔵庫の制御装置は、除霜用ヒータをＯＦＦの状態にて庫内に冷気強制循環用送風機にて冷気を強制対流させ、冷却器温度を上昇させて冷却器の除霜を行う構成としたから、除霜用ヒータの通電時間を短縮し、冷蔵庫の省エネルギー化を図ることができる効果を有する。
【００４２】
また、この発明の冷凍冷蔵庫の制御装置は、冷凍室用の第２温度調節用電動ダンパを閉の状態にて庫内に冷気強制循環用送風機にて冷気を強制対流させ、冷却器温度を上昇させて冷却器の除霜を行う構成としたから、除霜中の冷蔵室内の温度上昇を抑制することができ、食品の保存性の高い冷蔵庫を提供することができる効果を有する。
【００４３】
また、この発明の冷凍冷蔵庫の制御装置は、庫内に冷気強制循環用送風機にて冷気を強制対流させ、冷却器温度を上昇させた後、除霜用ヒータをＯＮて冷却器を加熱し、冷却器の除霜を行う構成としたから、食品の保存性の高い冷蔵庫を提供することができる効果を有する。
【００４４】
また、この発明の冷凍冷蔵庫の制御装置は、少なくとも冷蔵室、冷凍室の2室以上の複数の室で構成し、かつ脱臭風路を有すると共に、前記複数の室又は脱臭風路に冷却器にて冷却した冷気を冷気強制循環用送風機にて、前記複数の室又は脱臭風路に、冷気吐出風路を介して送風し、かつ前記冷気吐出風路内に前記複数の室又は脱臭風路に向けてそれぞれ温度調節用電動ダンパを設けると共に、前記冷却器下方に除霜用ヒータを備え、除霜運転時除霜ヒータ通電停止後、冷気強制循環用送風機にて脱臭風路内に強制対流を発生させ、前記冷却器の残霜の除霜を行う構成としたから、除霜用ヒータの通電時間を短縮させることができると共に、除霜中の冷蔵室内の温度上昇を抑制することができ、かつ食品の保存性の高い冷蔵庫を提供することができる効果を有する。
【００４５】
また、この発明の冷凍冷蔵庫の制御装置は、除霜運転時冷蔵室用の第１温度調節用電動ダンパを閉の状態にて、除霜ヒータＯＦＦ後に冷気強制循環用送風機にて脱臭風路内に強制対流を発生させ、冷却器の残霜の除霜を行う構成としたから、除霜用ヒータの通電時間を短縮させることができると共に、除霜中の冷蔵室内の温度上昇を抑制することができ、冷蔵庫の省エネルギー化を図ることができる効果を有する。
【００４６】
また、この発明の冷凍冷蔵庫の制御装置は、除霜運転時冷凍室用の第２温度調節用電動ダンパを閉の状態にて、除霜ヒータＯＦＦ後に冷気強制循環用送風機にて脱臭風路内に強制対流を発生させ、冷却器の残霜の除霜を行う構成としたから、除霜中の冷蔵室内の温度上昇を抑制することができ、かつ食品の保存性が高く使用者が安心して使用できる冷蔵庫を提供することができる効果を有する。
【００４７】
また、この発明の冷凍冷蔵庫の制御装置は、除霜運転時冷蔵室用の第１温度調節用電動ダンパ、冷凍室用の第２温度調節用電動ダンパ又は脱臭用の第３温度調節用電動ダンパを閉の状態にて、冷気強制循環用送風機にて脱臭風路内に強制対流を発生させ、除霜を行う構成としたから、除霜用ヒータの通電時間を短縮させることができると共に、除霜中の冷蔵室内の温度上昇を抑制することができ、消費電力の削減に貢献できる効果を有する。
【図面の簡単な説明】
【図１】  この発明の実施の形態１による冷凍冷蔵庫の制御装置を示す断面図である。
【図２】  この発明の実施の形態１による冷凍冷蔵庫の制御装置を示す制御タイムチャート図である。
【図３】  この発明の実施の形態１による冷凍冷蔵庫の制御装置を示す制御フローチャートである。
【図４】  この発明の実施の形態２による冷凍冷蔵庫の制御装置を示す断面図である。
【図５】  この発明の実施の形態２による冷凍冷蔵庫の制御装置を示す制御タイムチャート図である。
【図６】  この発明の実施の形態２による冷凍冷蔵庫の制御装置を示す制御フローチャートである。
【図７】  この発明の実施の形態３による冷凍冷蔵庫の制御装置を示す制御タイムチャート図である。
【図８】  この発明の実施の形態３による冷凍冷蔵庫の制御装置を示す制御フローチャートである。
【図９】  従来の冷凍冷蔵庫の制御装置を示す断面図である。
【図１０】  従来の冷凍冷蔵庫の制御装置を示す制御タイムチャートである。
【図１１】  従来の冷凍冷蔵庫の制御装置を示す制御示すフローチャートである。
【符号の説明】
１  冷蔵庫本体、２  冷蔵室、３  冷凍室、４  冷却器、５  冷気吐出風路、６  圧縮機、７  冷気強制循環送風機、８  除霜用ヒータ、９冷蔵室用の第１温度調節用電動ダンパ、１０  冷凍室用の第２温度調節用電動ダンパ、１１  脱臭風路、１２  脱臭用の第３温度調節用電動ダンパ。
【図１】
0004310947.tif 000002
【図２】
0004310947.tif 000003
【図３】
0004310947.tif 000004
【図４】
0004310947.tif 000005
【図５】
0004310947.tif 000006
【図６】
0004310947.tif 000007
【図７】
0004310947.tif 000008
【図８】
0004310947.tif 000009
【図９】
0004310947.tif 000010
【図１０】
0004310947.tif 000011
【図１１】
0004310947.tif 000012